【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
前記負極は、負極集電体上に、負極結着剤を含む負極活物質層を有し、
前記負極結着剤は、イミド結合（−ＯＣＮＣＯ−）およびアミド結合（−ＯＣＮＨ−）のうちの少なくとも１種を有する樹脂を含有し、
Ｘ線光電子分光法を用いた前記負極活物質層の表面分析（ワイドスキャンスペクトル）において、炭素起因のスペクトル（Ｃ１ｓ）の強度ＩＣと窒素起因のスペクトル（Ｎ１ｓ）の強度ＩＮとの比ＩＣ／ＩＮは、１５．０以上３５．０以下である、
二次電池。
【請求項２】
前記樹脂は、ポリイミド、ポリアミドおよびポリアミドイミドからなる群のうちの少なくとも１種である、請求項１記載の二次電池。
【請求項３】
前記負極活物質層は、電極反応物質を吸蔵および放出することが可能であると共に金属元素および半金属元素のうちの少なくとも１種を有する材料、を含有する負極活物質を含む、請求項１記載の二次電池。
【請求項４】
前記負極活物質は、ケイ素の単体、合金および化合物、ならびにスズの単体、合金および化合物からなる群のうちの少なくとも１種である、請求項３記載の二次電池。
【請求項５】
正極および負極と共に電解液を備え、
前記負極は、負極集電体上に、負極結着剤を含む負極活物質層を有し、
前記負極結着剤は、イミド結合およびアミド結合のうちの少なくとも１種を有する樹脂を含有し、
Ｘ線光電子分光法を用いた前記負極活物質層の表面分析（ナロウスキャンスペクトル）において、４００．５ｅＶ近傍における窒素起因のスペクトル（Ｎ１ｓ）の強度ＩＮ１と３９８．５ｅＶ近傍における窒素起因のスペクトル（Ｎ１ｓ）の強度ＩＮ２との比ＩＮ１／ＩＮ２は、０．５以上３．０以下である、
二次電池。
【請求項６】
前記樹脂は、ポリイミド、ポリアミドおよびポリアミドイミドからなる群のうちの少なくとも１種である、請求項５記載の二次電池。
【請求項７】
前記負極活物質層は、電極反応物質を吸蔵および放出することが可能であると共に金属元素および半金属元素のうちの少なくとも１種を有する材料、を含有する負極活物質を含む、請求項５記載の二次電池。
【請求項８】
前記負極活物質は、ケイ素の単体、合金および化合物、ならびにスズの単体、合金および化合物からなる群のうちの少なくとも１種である、請求項７記載の二次電池。
【請求項９】
正極および負極と共に電解液を備えた二次電池における前記負極を作製する工程は、
負極集電体上に、イミド結合およびアミド結合のうちの少なくとも１種を有する樹脂を含有する負極結着剤、を含む負極活物質層を形成する工程と、
前記樹脂の分解温度以上の温度で前記負極活物質層を加熱する工程と
を含む、二次電池の製造方法。
【請求項１０】
前記負極集電体の融点未満の温度で前記負極活物質層を加熱する、請求項９記載の二次電池の製造方法。
【請求項１１】
負極集電体上に、負極結着剤を含む負極活物質層を有し、
前記負極結着剤は、イミド結合およびアミド結合のうちの少なくとも１種を有する樹脂を含有し、
Ｘ線光電子分光法を用いた前記負極活物質層の表面分析（ワイドスキャンスペクトル）において、炭素起因のスペクトル（Ｃ１ｓ）の強度ＩＣと窒素起因のスペクトル（Ｎ１ｓ）の強度ＩＮとの比ＩＣ／ＩＮは、１５．０以上３５．０以下である、
二次電池用負極。
【請求項１２】
負極集電体上に、負極結着剤を含む負極活物質層を有し、
前記負極結着剤は、イミド結合およびアミド結合のうちの少なくとも１種を有する樹脂を含有し、
Ｘ線光電子分光法を用いた前記負極活物質層の表面分析（ナロウスキャンスペクトル）において、４００．５ｅＶ近傍における窒素起因のスペクトル（Ｎ１ｓ）の強度ＩＮ１と３９８．５ｅＶ近傍における窒素起因のスペクトル（Ｎ１ｓ）の強度ＩＮ２との比ＩＮ１／ＩＮ２は、０．５以上３．０以下である、
二次電池用負極。
【請求項１３】
負極集電体上に、イミド結合およびアミド結合のうちの少なくとも１種を有する樹脂を含有する負極結着剤、を含む負極活物質層を形成する工程と、
前記樹脂の分解温度以上の温度で前記負極活物質層を加熱する工程と
を含む、二次電池用負極の製造方法。
【請求項１４】
前記負極集電体の融点未満の温度で前記負極活物質層を加熱する、請求項１３記載の二次電池用負極の製造方法。
【手続補正２】
【補正対象書類名】明細書
【補正対象項目名】発明の名称
【補正方法】変更
【補正の内容】
【発明の名称】二次電池用負極、二次電池およびそれらの製造方法
【手続補正３】
【補正対象書類名】明細書
【補正対象項目名】０００１
【補正方法】変更
【補正の内容】
【０００１】
本発明は、負極集電体上に負極結着剤を含む負極活物質層を有する二次電池用負極、それを備えた二次電池、およびそれらの製造方法に関する。
【手続補正４】
【補正対象書類名】明細書
【補正対象項目名】０００７
【補正方法】変更
【補正の内容】
【０００７】
本発明はかかる問題点に鑑みてなされたもので、その目的は、電池特性を向上させることが可能な二次電池用負極、二次電池およびそれらの製造方法を提供することにある。
【手続補正５】
【補正対象書類名】明細書
【補正対象項目名】０００８
【補正方法】変更
【補正の内容】
【０００８】
本発明の二次電池用負極は、負極集電体上に負極結着剤を含む負極活物質層を有し、負極結着剤がイミド結合およびアミド結合のうちの少なくとも１種を有する樹脂を含有するものである。第１の二次電池用負極では、Ｘ線光電子分光法を用いた負極活物質層の表面分析（ワイドスキャンスペクトル）において、炭素起因のスペクトル（Ｃ１ｓ）の強度ＩＣと窒素起因のスペクトル（Ｎ１ｓ）の強度ＩＮとの比ＩＣ／ＩＮが１５．０以上３５．０以下である。第２の二次電池用負極では、Ｘ線光電子分光法を用いた負極活物質層の表面分析（ナロウスキャンスペクトル）において、４００．５ｅＶ近傍における窒素起因のスペクトル（Ｎ１ｓ）の強度ＩＮ１と３９８．５ｅＶ近傍における窒素起因のスペクトル（Ｎ１ｓ）の強度ＩＮ２との比ＩＮ１／ＩＮ２が０．５以上３．０以下である。
【手続補正６】
【補正対象書類名】明細書
【補正対象項目名】０００９
【補正方法】変更
【補正の内容】
【０００９】
本発明の二次電池用負極の製造方法は、負極集電体上にイミド結合およびアミド結合のうちの少なくとも１種を有する樹脂を含有する負極結着剤を含む負極活物質層を形成する工程と、その樹脂の分解温度以上の温度で負極活物質層を加熱する工程とを含むようにしたものである。
【手続補正７】
【補正対象書類名】明細書
【補正対象項目名】００１０
【補正方法】変更
【補正の内容】
【００１０】
本発明の二次電池は、正極および負極と共に電解液を備え、負極が負極集電体上に負極結着剤を含む負極活物質層を有し、負極結着剤がイミド結合およびアミド結合のうちの少なくとも１種を有する樹脂を含有するものである。第１の二次電池では、Ｘ線光電子分光法を用いた負極活物質層の表面分析（ワイドスキャンスペクトル）において、炭素起因のスペクトル（Ｃ１ｓ）の強度ＩＣと窒素起因のスペクトル（Ｎ１ｓ）の強度ＩＮとの比ＩＣ／ＩＮが１５．０以上３５．０以下である。第２の二次電池では、Ｘ線光電子分光法を用いた負極活物質層の表面分析（ナロウスキャンスペクトル）において、４００．５ｅＶ近傍における窒素起因のスペクトル（Ｎ１ｓ）の強度ＩＮ１と３９８．５ｅＶ近傍における窒素起因のスペクトル（Ｎ１ｓ）の強度ＩＮ２との比ＩＮ１／ＩＮ２が０．５以上３．０以下である。
【手続補正８】
【補正対象書類名】明細書
【補正対象項目名】００１１
【補正方法】変更
【補正の内容】
【００１１】
本発明の二次電池の製造方法は、正極および負極と共に電解液を備えた二次電池における負極を作製する工程が、負極集電体上にイミド結合およびアミド結合のうちの少なくとも１種を有する樹脂を含有する負極結着剤を含む負極活物質層を形成する工程と、その樹脂の分解温度以上の温度で負極活物質層を加熱する工程とを含むようにしたものである。
【手続補正９】
【補正対象書類名】明細書
【補正対象項目名】００１２
【補正方法】変更
【補正の内容】
【００１２】
本発明の二次電池用負極あるいはその製造方法によれば、負極結着剤としてイミド結合およびアミド結合のうちの少なくとも１種を有する樹脂を含有する負極活物質層を形成したのち、その樹脂の分解温度以上の温度で負極活物質層を加熱している。この場合には、Ｘ線光電子分光法を用いた負極活物質層の表面分析において、炭素起因のスペクトル（Ｃ１ｓ）の強度ＩＣと窒素起因のスペクトル（Ｎ１ｓ）の強度ＩＮとの比ＩＣ／ＩＮ（ワイドスキャンスペクトル）が１５．０以上３５．０以下であり、あるいは４００．５ｅＶ近傍における窒素起因のスペクトル（Ｎ１ｓ）の強度ＩＮ１と３９８．５ｅＶ近傍における窒素起因のスペクトル（Ｎ１ｓ）の強度ＩＮ２との比ＩＮ１／ＩＮ２（ナロウスキャンスペクトル）が０．５以上３．０以下である。これにより、負極結着剤のうちの少なくとも一部が炭化し、その炭化物が導電剤の役割を果たすため、負極の内部抵抗が低下する。しかも、炭化時に生じる空隙の存在により、電極反応時において負極活物質層の膨張および収縮に伴う応力が緩和されるため、その負極活物質層の破壊や剥離が抑制される。したがって、本発明の二次電池あるいはその製造方法では、負荷特性やサイクル特性などの電池特性を向上させることができる。